(57)【要約】【課題】簡単，小型な構造で多様なサイズ，形状を有するメガネに，透明樹脂材で構成されるフロント部材を最適な位置関係で，着脱自在に取り付けることができる簡易サングラスキットを提供する。【解決手段】フロント部材のメガネへの取り付け位置を予め固定せず，フロント部材ならびに，フロント部材に接着材または粘着材で取り付ける複数の固定部材をキット構成で提供し，フロント部材の裏面に，フロント部材とメガネの配置が最適になる位置に固定部材を取り付けてメガネに装着することで簡易サングラスを構成する，簡易サングラスキット。【選択図】図１
0003128297.tif 000002
【実用新案登録請求の範囲】
【請求項１】
透明樹脂材からなるフロント部材，ならびにメガネのリムまたはレンズを利用してメガネにフロント部材を着脱自在な形で取り付ける複数の固定部材をキット構成し，フロント部材とメガネが最適な位置関係となるようにフロント部材の裏面に固定部材を，接着材または粘着材で取り付けてメガネに装着することで簡易サングラスを構成する，簡易サングラスキット。
【考案の詳細な説明】
【技術分野】
【０００１】本考案は，透明樹脂からなるフロント部材と，メガネとフロント部材が最適な位置関係となるように，フロント部材の裏面に接着材または粘着材で取り付ける複数の固定部材をキット構成し，メガネに，該キットを組み立ててなる着脱自在なフロント部材を装着することで簡易サングラスを構成する，簡易サングラスキットに関する。
【背景技術】
【０００２】日常的に近視用や遠視用などのメガネをかけている人は，視力を維持するためにはサングラスを使用する場合も，度数の合ったグラスを使用することが望ましい。しかし，最適な度数の入ったサングラスは極めて高価であり入手も簡単ではないとともに，サングラスとは別に，日常使用するメガネを常に持ち歩かなければならない煩わしさが有る。これらの問題を解決するために，日常のメガネにフロント部材を取り付けて使用する簡易サングラスが種々提案されているが，いずれも，構造が複雑，高価，かつ見栄えが良くないなど各種の問題を抱えており，いずれもメガネの多様性に十分に適応出来ていない。すなわち，メガネにフロント部材を取り付ける場合に，予め取り付け位置が固定されているため，多様なメガネの大きさや形状への適応が難しく，フロント部材をメガネの最適な位置に取り付けることが難しいとともに，フロント部材の取り付けの確実性，安定性も十分とは言い難い。
【考案が解決しようとする課題】
【０００３】本考案は，上記する問題を一挙に解決するものであり，簡単，小型，低価格な構造で，多様なサイズ，形状を有するメガネに対して，フロント部材を最適な位置関係で着脱自在に取り付けることが出来る簡易サングラスキットを提供する。
【課題を解決するための手段】
【０００４】従来から一般的に提案されている，メガネにフロント部材を取り付けて構成する簡易サングラスは，フロント部材とメガネの位置関係は予め固定されているため，メガネの多様性には対応し切れずフロント部材とメガネの位置関係は不自然になる。また，取り付け位置に自由度を持たせたタイプでは，取り付け構造が複雑で大きくなり，取り付けの確実性や安定性に難が有る。しかるに本考案では，一般の簡易サングラスにおいて最大の欠点である上記課題を解決するものであり，メガネへのフロント部材の取り付け位置を予め固定せず，フロント部材の裏面にメガネのサイズ，形状に合わせて最適な位置に固定部材を取り付けることによって，メガネとフロント部材とはバランスのとれた位置関係に設定することが出来る。このためにフロント部材と固定部材とはキット構成で提供される。かかる構成によって，フロント部材は，メガネのリムまたはレンズにより固定支持できるため，安定性，確実性が高くなる。
【考案の効果】
【０００５】メガネにフロント部材を取り付けるための固定部材を，フロント部材に予め固定して取り付けず，フロント部材と複数の固定部材をキット構成で提供することにより，使用しているメガネに合わせてフロント部材を最適な位置にバランス良く配置，固定でき，固定部材も小型化できるため，フロント部材の大きさの冗長性も排除され，小型，軽量，低価格で，見た目に優れた簡易サングラスが実現される。
【考案を実施するための最良の形態】
【０００６】図１は本考案の簡易サングラスキットをメガネ１に装着した簡易サングラスの概念図を示す。１はメガネ，２はフロント部材，３はメガネにフロント部材を取り付けるための固定部材を示す。固定部材３はメガネがフロント部材を最も安定して保持できるように，フロント部材の裏面上でメガネの上下のリムそれぞれ２箇所を固定する位置に取り付ける。【０００７】図２はサングラス化するために着色された透明樹脂材で構成されるフロント部材であり，メガネが人間の顔に沿って若干湾曲されていると同程度湾曲されている。【０００８】図３はフロント部材をメガネに取り付けるための固定部材であり，４はメガネのリムまたはレンズを挟み込む固定部材の稼動部，５は固定部材のベース部，６は固定部材をフロント部材に貼り付けて固定する固定部材の粘着材，７はメガネを固定部材に取り付け易く，外し易くするために指を掛ける固定部材のノブを示す。固定部材は稼動部を開いてメガネのリムまたはレンズを挟み込んだり，外したりするために，折り曲げに強く弾性を有するゴム材などで構成される。稼動部の長さ，幅，ならびに底部の長さ，幅はメガネのリムまたはレンズをしっかり固定できる寸法とする。底部が稼動部より長く設定されているのは，固定部材をフロント部材の裏面に強く固定するためである。また，稼動部が楔形筒状にされているのは，メガネの多様性に伴うリムやレンズの厚みの違いに対応をするためである。【０００９】フロント部材とメガネを最適な位置関係で取り付けるためには，予めメガネのリムやレンズの適切な位置に固定部材を取り付けた状態で，フロント部材の裏面上にメガネを載せて，固定部材に取り付けられている粘着材でフロント部材の裏面にしっかり粘着する方法が望ましい。このように簡単で，しかも使用しているメガネとフロント部材を最適な位置関係で取り付けることが出来る。
【実施例】
【００１０】フロント部材は板厚０．５ｍｍの緑色系に着色されたプラスチック材を使用し，左右一体構造とした。フロント部材は左右を分離した構造も可能であるが，一体構造の方が取り扱い，保管に適している。フロント部材のサイズは，一般的なメガネのサイズを考慮して１４０ｍｍ×５０ｍｍとし，人間の顔の湾曲性を考慮して，中央部は左右端に対して１０ｍｍ程度持ち上がった湾曲構造となっている。固定部材は合成ゴムで形成し，稼動部，ベース部の厚みを２ｍｍ，稼動部の長辺を２０ｍｍ，短辺を１２ｍｍ，稼動部の楔形筒状の中空部の高さを８ｍｍ，ペース部ならびに粘着材は粘着の強度を考慮して長辺を４０ｍｍ，短辺を１０ｍｍとした。これらの各種ディメンジョンは選定するゴム材の性質などで変わり得る値である。また，固定部材の材質に関しては，ゴム材に限定されるものではなく，弾性を有する樹脂材も可能であるとともに，金属のバネ材も可能であり，粘着材部を含めて全体を粘着ゴムで一体整形することも可能である。フロント部材に関しても，プラスチックに限定されずアクリル材なども可能である。またフロント部材をメガネに固定する場所も，リムやレンズに限定されず，メガネ構造の中で固定効果の大きい部分を選ぶ事が出来る。以上記述する如く，本考案は実施例に限定される事は無く，本考案の趣旨を逸脱しない範囲であれば，種々変形実施が可能である。
【図面の簡単な説明】
【００１１】
【図１】簡易サングラスキットをメガネに装着した簡易サングラスを示す概念図
【図２】フロント部材の概観斜視図
【図３】固定部材の概観斜視図
【符号の説明】
１  メガネ
２  フロント部材
３  固定部材
４  固定部材の稼動部
５  固定部材のベース部
６  固定部材の接着材または粘着材
７  固定部材のノブ
【図１】
0003128297.tif 000003
【図２】
0003128297.tif 000004
【図３】
0003128297.tif 000005